【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
カメライメージセンサのプレビュモードでセンサ出力イメージを低解像度に維持する段階と、
キャプチャ準備信号に基づいて前記センサ出力イメージを高解像度に変更して前記カメライメージセンサをキャプチャ準備モードに進入させる段階と、
前記キャプチャ準備モードでキャプチャ信号に応答して前記センサ出力イメージをキャプチャする段階と、を含み、
前記低解像度は基準解像度と同一であるか、または、前記基準解像度より低い解像度であり、前記高解像度は前記基準解像度より高い解像度であることを特徴とするイメージセンサ動作方法。
【請求項２】
前記センサ出力イメージがキャプチャされると、前記センサ出力イメージを低解像度に変更して前記カメライメージセンサを前記プレビュモードに再進入させる段階をさらに含むことを特徴とする請求項１に記載のイメージセンサ動作方法。
【請求項３】
前記キャプチャ準備モードが既設定された時間だけ経過すると、前記センサ出力イメージを低解像度に変更して前記カメライメージセンサを前記プレビュモードに再進入させる段階をさらに含むことを特徴とする請求項２に記載のイメージセンサ動作方法。
【請求項４】
前記キャプチャ準備モードでモード転換信号が入力されると、前記センサ出力イメージを低解像度に変更して前記カメライメージセンサを前記プレビュモードに再進入させる段階をさらに含むことを特徴とする請求項２に記載のイメージセンサ動作方法。
【請求項５】
前記センサ出力イメージは、前記プレビュモードで前記キャプチャ準備信号が入力されると同時に低解像度から高解像度に変更されることを特徴とする請求項１に記載のイメージセンサ動作方法。
【請求項６】
前記センサ出力イメージは、前記プレビュモードで前記キャプチャ準備信号が入力されると、既設定された時間が経過した後、低解像度から高解像度に変更されることを特徴とする請求項１に記載のイメージセンサ動作方法。
【請求項７】
前記キャプチャ準備信号は、フォーカス動作を行うためのオートフォーカススタート信号であることを特徴とする請求項１に記載のイメージセンサ動作方法。
【請求項８】
前記キャプチャ準備信号は、タッチ入力信号、ボタン入力信号、音声入力信号のうちから選択される少なくとも一つの信号であることを特徴とする請求項１に記載のイメージセンサ動作方法。
【請求項９】
前記キャプチャ準備信号は、顔検出動作を行うための顔検出信号であることを特徴とする請求項１に記載のイメージセンサ動作方法。
【請求項１０】
光電変換を実行してセンサ出力イメージを生成するイメージセンサ部と、
前記センサ出力イメージをプレビュモードで低解像度に維持し、キャプチャ準備信号に基づいて前記センサ出力イメージを高解像度に変更し、キャプチャ準備モードで前記センサ出力イメージを高解像度に維持するモード制御部と、
前記センサ出力イメージを処理してイメージデータを出力するイメージ信号処理部と、を含み、
前記低解像度は基準解像度と同一であるか、または、前記基準解像度より低い解像度であり、前記高解像度は前記基準解像度より高い解像度であることを特徴とするカメラモジュール。
【請求項１１】
システムオンチップで製造されることを特徴とする請求項１０に記載のカメラモジュール。
【請求項１２】
前記モード制御部は、前記プレビュモードでセンサ出力イメージを低解像度に設定し、前記キャプチャ準備モードで前記センサ出力イメージを高解像度に設定することを特徴とする請求項１０に記載のカメラモジュール。
【請求項１３】
前記モード制御部は、前記キャプチャ準備モードで前記センサ出力イメージがキャプチャされると、前記カメラモジュールの動作モードを前記キャプチャ準備モードから前記プレビュモードに切り替えることを特徴とする請求項１２に記載のカメラモジュール。
【請求項１４】
前記モード制御部は、前記キャプチャ準備モードが既設定された時間だけ経過すると、前記カメラモジュールの動作モードを前記キャプチャ準備モードから前記プレビュモードに切り替えることを特徴とする請求項１３に記載のカメラモジュール。
【請求項１５】
前記モード制御部は、前記キャプチャ準備モードでモード転換信号が入力されると、前記カメラモジュールの動作モードを前記キャプチャ準備モードから前記プレビュモードに切り替えることを特徴とする請求項１３に記載のカメラモジュール。
【請求項１６】
前記キャプチャ準備信号は、フォーカス動作を行うためのオートフォーカススタート信号であることを特徴とする請求項１２に記載のカメラモジュール。
【請求項１７】
前記キャプチャ準備信号は、顔検出動作を行うための顔検出信号であることを特徴とする請求項１２に記載のカメラモジュール。
【請求項１８】
カメライメージセンサ、アプリケーションプロセッサ、及びイメージを表示する少なくとも一つ以上のディスプレイを具備するモバイル機器であって、前記アプリケーションプロセッサは、
前記カメライメージセンサから出力されるセンサ出力イメージを前記カメライメージセンサのプレビュモードで低解像度に維持し、キャプチャ準備信号に基づいて前記センサ出力イメージを高解像度に変更し、前記センサ出力イメージを前記カメライメージセンサのキャプチャ準備モードで高解像度に維持するモードコントローラと、
前記センサ出力イメージを処理して第１イメージデータを生成するイメージ信号プロセッサと、
前記第１イメージデータを後処理して第２イメージデータを生成する後処理プロセッサと、
前記イメージを生成するための前記第２イメージデータを前記少なくとも一つ以上のディスプレイに出力するディスプレイコントローラと、を含むことを特徴とするモバイル機器。
【請求項１９】
前記アプリケーションプロセッサは、前記第１イメージデータを臨時保存して前記後処理プロセッサで出力するメモリをさらに含むことを特徴とする請求項１８に記載のモバイル機器。
【請求項２０】
前記モードコントローラは、リアルタイム運営システムを含むことを特徴とする請求項１８に記載のモバイル機器。
【請求項２１】
携帯電話、スマートフォン、デジタルカメラ、タブレット、または、ビデオカメラで具現されることを特徴とする請求項１８に記載のモバイル機器。
【請求項２２】
前記アプリケーションプロセッサは、少なくとも一つ以上の入出力端子を通じて外部ディスプレイに接続され、前記イメージデータを前記外部ディスプレイに出力することを特徴とする請求項２１に記載のモバイル機器。
【請求項２３】
前記アプリケーションプロセッサと前記カメライメージセンサとは、ＭＩＰＩ、ＩＴＵ−Ｒ  ＢＴ．６０１、ＩＴＵ−Ｒ  ＢＴ．６５６またはＩＴＵ−Ｒ  ＢＴ.７０９に基づいて通信を実行することを特徴とする請求項２１に記載のモバイル機器。
【請求項２４】
前記キャプチャ準備信号は、フォーカス動作を行うためのオートフォーカススタート信号であることを特徴とする請求項２１に記載のモバイル機器。
【請求項２５】
前記キャプチャ準備信号は、フォーカス動作を行うための外部入力信号であることを特徴とする請求項２１に記載のモバイル機器。
【請求項２６】
前記キャプチャ準備信号は、スマイル検出動作を行うためのスマイル検出信号であることを特徴とする請求項２１に記載のモバイル機器。
【請求項２７】
前記キャプチャ準備信号は、顔検出動作を行うための顔検出信号であることを特徴とする請求項２１に記載のモバイル機器。